(57)【要約】【課題】靴をルーズに履くことによって生じる見た目のだらしなさを解消すると共に、余った靴紐や結んだ靴紐を含む靴紐端部を舌裏と足首の間に入れる履き方をしても、着用感の劣化しない靴を提供する。【解決手段】舌片４における着用時に外から見える表側Ｆから、あるいは舌片４における側面から、舌片４における着用時に外から見えない裏側へ向って舌片４を挿通可能とする手段としての挿通孔７が舌片４に形成され、挿通孔７を表側Ｆから裏側に向って挿通した靴紐６の一対の端部同士を結んだ結び目を収納可能な袋状の収納部３０が舌片４の後部に設けられ、靴紐６の結び目を収納部３０に入れることを可能とすると共に結び目を収納部３０から取り出すことを可能とする出入口が舌片における着用時に外から見えない裏側に設けられている。【選択図】図９
0003132794.tif 000002
【実用新案登録請求の範囲】
【請求項１】
足の甲を包むアッパーと、前記アッパーに形成された開口を覆う舌片と、前記アッパーにおける前記開口の左右両側にそれぞれ複数配列された小孔と、前記小孔に挿通されて前記アッパーを足の甲にフィットさせる靴紐とを備えた靴において、
前記舌片における着用時に外から見える表側から、あるいは、前記舌片における側面から、前記舌片における着用時に外から見えない裏側へ向って前記舌片を挿通可能とする手段としての挿通孔が前記舌片に形成され、
前記挿通孔を前記表側もしくは側面から裏側へ向って挿通した靴紐の一対の端部同士を結んだ結び目を収納可能な袋状の収納部が前記舌片の後部に設けられ、
前記靴紐の結び目を前記収納部に入れることを可能とすると共に前記結び目を前記収納部から取り出すことを可能とする出入口が前記舌片における着用時に外から見えない前記裏側に設けられている靴。
【請求項２】
請求項１において、前記舌片に形成した前記挿通孔が前記袋状の収納部に向って開口し、前記挿通孔を介して前記収納部に挿入された前記靴紐の端部が、前記出入口を介して前記舌片の裏側の空間に引き出し可能とされ、この引き出した靴紐の一対の端部同士を結んだ結び目を前記出入口から前記収納部に入れることを可能とした靴。
【請求項３】
請求項１において、前記舌片は、前記表側の面を形成する部材である舌表と、前記裏側の面を形成する部材である舌裏とを備え、前記舌表と前記舌裏とが袋状に縫い合わされて前記収納部が形成され、
前記挿通孔としての左右一対の第１の挿通孔が前記舌表に形成され、
前記出入口が舌裏に形成され、
前記出入口が前記挿通孔としての第２の挿通孔を構成し、
前記第１の挿通孔を介して前記収納部に挿入された前記靴紐の端部が、前記収納部を通り前記出入口を介して前記舌片の裏側の空間に引き出し可能とされ、この引き出した靴紐の一対の端部同士を結んだ結び目を前記出入口から前記収納部に入れることを可能とした靴。  
【請求項４】
請求項１において、前記舌片は、前記表側の面を形成する部材である舌表と、前記裏側の面を形成する部材である舌裏とを備え、前記舌表と前記舌裏とが袋状に縫い合わされて前記収納部が形成され、
前記挿通孔としての左右一対の第１の挿通孔が前記舌表と舌裏とが縫い合わされた部位またはその近傍の部位である前記側面に形成され、
前記出入口が舌裏に形成され、
前記出入口が前記挿通孔としての第２の挿通孔を構成し、
前記第１の挿通孔を介して前記収納部に挿入された前記靴紐の端部が、前記収納部を通り前記出入口を介して前記舌片の裏側の空間に引き出し可能とされ、この引き出した靴紐の一対の端部同士を結んだ結び目を前記出入口から前記収納部に入れることを可能とした靴。  
【請求項５】
請求項１，２，３もしくは４において、前記挿通孔に金属製または樹脂製のループ材が装着されて、前記小孔における靴紐の挿通抵抗が、前記挿通孔における靴紐の挿通抵抗よりも大きいことを特徴とする靴。
【考案の詳細な説明】
【技術分野】
【０００１】
本考案は、舌片に収納部を有する靴に関する。
【背景技術】
【０００２】
舌片に収納部を有する靴の考案として、下記の考案が挙げられる。
【特許文献１】実公昭５８−４３８５１
【特許文献２】実開昭５６−１３７６０３
【０００３】
近年、特に若者の間で靴をルーズに履く履き方や、余った靴紐や結んだ靴紐を含む靴紐端部を舌裏と足首との間に入れる履き方が流行している。靴をルーズに履くことにより、着脱が容易になり、着用時における靴の締め付けが解消され、さらに、着用時の通気性が向上する。また、余った靴紐や結んだ靴紐を含む靴紐端部を舌裏と足首の間に入れて履くことにより、店頭のディスプレイに飾られている商品と同じ外観で靴を着用することが出来るため、見栄えが良くなる。
【０００４】
しかし、靴をルーズに履く履き方は靴紐をきっちり結ばないため、見る者にだらしない印象を与える。また、結んだ靴紐を含む靴紐端部を舌裏と足首の間に入れる履き方は、歩行時の衝撃等で、次第に前記端部が靴の内部（舌裏と足の甲の間）に入り込んでくるため、着用感が劣化する。
【０００５】
したがって、本考案の目的は、靴をルーズに履くことによって生じる見た目のだらしなさを解消すると共に、結んだ靴紐を含む靴紐端部を舌裏と足首の間に入れる履き方をしても、着用感の劣化しにくい靴を提供することである。
【０００６】
前記目的を達成するために、本考案は、足の甲を包むアッパーと、前記アッパーに形成された開口を覆う舌片と、前記アッパーにおける前記開口の左右両側にそれぞれ複数配列された小孔と、前記小孔に挿通されて前記アッパーを足の甲にフィットさせる靴紐とを備えた靴において、前記舌片における着用時に外から見える表側から、あるいは、前記舌片における側面から、前記舌片における着用時に外から見えない裏側へ向って前記舌片を挿通可能とする手段としての挿通孔が前記舌片に形成され、前記挿通孔を前記表側から裏側に向って挿通した靴紐の一対の端部同士を結んだ結び目を収納可能な袋状の収納部が前記舌片の後部に設けられ、前記靴紐の結び目を前記収納部に入れることを可能とすると共に前記結び目を前記収納部から取り出すことを可能とする出入口が前記舌片における着用時に外から見えない前記裏側に設けられていることを特徴とする。
本考案の理解を深めるために、靴紐の結び目を設けた事例を中心に説明しているが、必ずしも靴紐は結ぶ必要はなく、結んでいない靴紐の両端部や余った靴紐を収納部に収納してもよい。また、靴紐を結ばず紐ストッパーで留めて、紐ストッパーと靴紐の両端部等を収納部に収納してもよい。
【０００７】
本考案において、複数の小孔に通された靴紐は挿通孔を介して舌片の表側または側面から裏側へ向って挿通され、裏側の空間において靴紐の端部同士が互いに結ばれる。これにより形成された結び目は出入口から収納部に押し込まれて、靴紐の端部が収納部に収納される。
このように、靴紐は舌片の挿通孔を介して舌片の裏側に入っているので、外観上靴紐を含むアッパーが美しい上、結んだ靴紐を収納部に収納できるから、靴紐でアッパーを甲に締め付けていなくとも、余った靴紐や靴紐が著しく緩んだ状態となって、靴が脱落するなどの不具合を抑制し得ると共に、靴紐をきっちり結んでいないことによって生じるだらしない感じが解消される。
【０００８】
ここで、収納部から結び目を取り出す前記出入口が前記舌片の裏側に設けられているから、着用時に余った靴紐や前記靴紐の端部が外から見えないので、見栄えが良い。
また、収納部は舌片の後部に設けられているから、結び目が足の甲の上面に当接しにくいので、着用感が劣化するおそれもない。
【０００９】
本考案の好的な実施例では、前記舌片に形成した前記挿通孔が前記袋状の収納部に向って開口し、前記靴紐の端部が前記挿通孔を介して前記収納部に挿入された後、前記出入口を介して前記舌片の裏側の空間に引き出し可能とされ、この引き出した靴紐の一対の端部同士を結んだ結び目を前記出入口から前記収納部に入れることを可能としたことを特徴とする。
ここで、「挿通孔が収納部に向かって開口する」とは、収納部に形成した開口が挿通孔となり得ることを意味し、収納部が挿通孔を介して、収納部の外の空間と連通することをいう。
【００１０】
この実施例によれば、靴紐の結び目を含む端部が、前記挿通孔を介して舌片の裏側に現れることなく、収納部に収納される。そのため、靴紐における前記挿通孔よりも端の端部が外から見えないから、見栄えが著しく向上する。
また、着用後に靴紐の端部が挿通孔を介して引っ張られるようなことがあっても、結び目が収納部から飛び出すおそれがない。
なお、前述のように、本発明において、靴を着用する際には、必ずしも、靴紐の端部同士を結ぶ必要はなく、余った靴紐や結んでいない両端部を収納部に収納してもよい。また、靴紐を結ばずに紐ストッパーで留めて紐ストッパーと靴紐の両端部等を収納部に収納してもよい。
【００１１】
本考案の別の好的な実施例では、舌片は、前記表側の面を形成する部材である舌表と、前記裏側の面を形成する部材である舌裏とを備え、前記舌表と前記舌裏とが袋状に縫い合わされて前記収納部が形成され、前記挿通孔としての左右一対の第１の挿通孔が前記舌表に形成され、前記出入口が舌裏に形成され、この出入口が前記挿通孔としての第２の挿通孔を構成し、前記靴紐の端部が前記第１の挿通孔を介して前記収納部に挿入された後、前記収納部を通り前記出入口を介して前記舌片の裏側の空間に引き出し可能とされ、この引き出した靴紐の一対の端部同士を結んだ結び目を前記出入口から前記収納部に入れることを可能としたことを特徴とする。
【００１２】
本考案の別の好的な実施例では、舌片は、前記表側の面を形成する部材である舌表と、前記裏側の面を形成する部材である舌裏とを備え、前記舌表と前記舌裏とが袋状に縫い合わされて前記収納部が形成され、前記挿通孔としての左右一対の第１の挿通孔が前記舌表と舌裏とが縫い合わされた部位またはその近傍の部位である前記側面に形成され、前記出入口が舌裏に形成され、この出入口が前記挿通孔としての第２の挿通孔を構成し、前記靴紐の端部が前記第１の挿通孔を介して前記収納部に挿入された後、前記収納部を通り前記出入口を介して前記舌片の裏側の空間に引き出し可能とされ、この引き出した靴紐の一対の端部同士を結んだ結び目を前記出入口から前記収納部に入れることを可能としたことを特徴とする。
【００１３】
これらの実施例によれば、前記好的な実施例の効果に加え、袋状の舌片で、つまり、舌片の舌表と舌裏との間で収納部を形成しているから、収納部のための部材を別途設ける必要がない。
【００１４】
本考案の更に好的な実施例では、前記挿通孔に金属製または樹脂製のループ材が装着されて、前記小孔における靴紐の挿通抵抗が、前記挿通孔における靴紐の挿通抵抗よりも大きいことを特徴とする。
【００１５】
一般に、舌片を構成する部材は小孔を形成する部材に比べ孔の部位が損み易いことが多いが、挿通孔の部分はループ材で保護されているので、舌片の損傷を防止し得る。
一方、小孔の部位についても滑り易くすると、靴紐が緩み、靴が着用中に脱落するおそれがあるが、この例によれば、小孔の部分の方が靴紐の滑りが悪いので、靴紐の緩みを防止し得る。
【００１６】
本実施例では、前記小孔における靴紐の挿通抵抗が、前記挿通孔における靴紐の挿通抵抗よりも大きく設定されているので、靴紐を結んでいなくても靴紐の緩みを防止することができる。
【実施例１】
【００１７】
以下、本考案の実施例について説明する。
なお、以下の説明では、アッパーが足の踝の両面を覆う、いわゆるハイカットの靴を例示して説明する。
図１〜図１０は実施例１を示す。
全体構成：
図９に示すように、本靴は、足の甲を包むアッパー１と、前記アッパー１に形成された開口１１をアッパー１の内側から覆う舌片４と、靴紐６とを備えている。図１に示すように、アッパー１には、該アッパー１における開口１１の左右両側に小孔５が複数配列されている。図９に示すように、前記小孔５には前記靴紐６が挿通されて、前記アッパー１が足の甲にフィットされる。
【００１８】
図２に示すように、前記開口１１は、前記舌片で覆われ多数の小孔５が両側に形成された甲部開口１１Ｆと、上方に向って開口し、着用時に脚が延び出る上部開口１１Ｂとを備える。前記甲部開口１１F は、足の甲を包むアッパー１によって包まれていない部分である。
【００１９】
前記アッパーにおける前記開口１１の左右の両側には、補強部材２０が縫着されている。前記補強部材２０は、例えば、毛羽立った人工皮革などの摩擦の大きな材料で形成されている。
前記アッパー１における前記補強部材２０の部位には、所定の間隔をもって、小孔５が配置されている。
なお、図９に示すように、通常、本靴をルーズに履く場合には、前記アッパー１の後部に設けられた小孔５ａまで前記靴紐６を通す。
前記アッパーにおける前記踝を覆う立上り部１１Ｓには、図２に示す切欠部２１が形成されている。
【００２０】
舌片４：
前記舌片４の先端部は前記アッパー１の前部に縫着されている。前記舌片４の素材としては、例えば、メッシュ材や織物などの布が用いられる。また、前記舌片４には、係止部１２が設けられてもよい。
図２の前記舌片４は表側Ｆの面を形成する舌表２と、図１の裏側Ｂの面を形成する舌裏３とを備えている。
前記舌表２には、前記アッパー１の前記切欠部２１の近傍に設けられた小孔５ａに対応する位置に、後述する一対の挿通孔７（第１の挿通孔）が設けられている。
【００２１】
収納部３０：
舌片４の後部には、収納部３０が設けられている。
前記収納部３０は、靴紐６の一対の端部同士を結んだ結び目（結玉）を収納可能とするためのもので、前記舌片４の後部に設けられている。
【００２２】
図４に示すように、前記舌片４は、前記舌表２と前記舌裏３が袋状に縫い合わされて収納部３０が形成されている。つまり、舌表２と舌裏３の周縁のみ縫い合わせることで、舌片４の内部（舌表２と舌裏３の間）に空間ができ、該空間が収納部３０となる。
したがって、収納部３０のための部材を別途設ける必要がない。
【００２３】
挿通孔７：
図２および図３に示すように、前記舌片４には左右一対の挿通孔７が形成されている。前記挿通孔７は、舌片４における着用時に外から見える表側Ｆから、前記舌片４における着用時に外から見えない裏側Ｂに向って前記舌片４を挿通する手段の一部を構成する。
なお、図１０Ａに示すように、挿通孔７には、円環状のループ材８が取り付けられている。
また、前記挿通孔７は一対以上あればよく、複数対を設けてもよい。
【００２４】
着用時に外から見える表側Ｆとは、図９に示す靴紐６を小孔５に挿通してアッパー１を足の甲にフィットさせた状態、つまり、着用時において、その面が外の空間に面しており、外から見える部分をいう。
着用時に外から見えない裏側Ｂとは、靴紐６を小孔５に挿通してアッパー１を足の甲にフィットさせた着用時に、着用者の脚部下端Ｌと舌片４の後部が向かい合うため、外から見えなくなる部分をいう。
【００２５】
前述のように、前記挿通孔７は、アッパー１の前記切欠部２１の近傍に設けられた小孔５ａに対応する位置、すなわち、アッパー１における開口１１が上方に向って立ち上がる部分に設けた小孔５ａに対応する位置に、左右一対設けられている。本靴をルーズに履く場合には、前記小孔５ａまで靴紐６を通すので、該小孔５ａと同程度の高さに前記挿通孔７を形成することで、舌片４が前に倒れることを防ぐことができる。
【００２６】
出入口９：
図１に示すように、舌裏３には出入口９が形成されている。図１０Ａに示すように、前記出入口９は、舌片４の幅方向Ｗの概ね中心において、図１に示すように、舌裏３を縦長に切欠することによって形成されている。
前記出入口９は、第２の挿通孔を構成しており、靴紐６の端部６１が前記挿通孔７を介して前記収納部３０に挿入された後、前記収納部３０を通っている靴紐６の端部６１が前記出入口９を介して前記舌片４の裏側Ｂの空間に引き出し可能とされる。この引き出した靴紐６の一対の端部同士を結んだ結び目６０が前記出入口９から前記収納部３０に再び入れられる。
【００２７】
このように、結ばれた靴紐６の端部６１が、前記出入口９から前記収納部３０に押し込まれるため、着用後に前記靴紐６の端部６１が前記挿通孔７を介して引っ張られるようなことがあっても、結び目６０が前記収納部３０から飛び出すおそれがない。
また、前記靴紐６の結び目６１を前記収納部３０に入れると共に、前記結び目６０を前記収納部３０から取り出すための前記出入口９が、前記舌片４における着用時に外から見えない前記舌裏３に設けられているため、見栄えが良い。
【００２８】
靴紐６の収納方法：
図４に示すように、まず、靴紐６をアッパー１の小孔５に通す。つぎに、前記靴紐６を、前記アッパー１の後部の小孔５a から、挿通孔７を介して舌片４の表側Ｆから、前記収納部３０内を通して、図５の舌片４の裏側Ｂの出入口９に向って挿通する。更に、この靴紐６の端部を、出入口９を介して前記舌片４の裏側Ｂの空間に引き出す。
【００２９】
この引出後、図６および図１０Ａに示すように、出入口９を介して舌片４の裏側の空間に引き出した前記靴紐６の端部６１を、前記舌片４の裏側Ｂに面した空間において結び、図１０Ｂおよび図７に示すように、結んだ前記靴紐の結び目６０を前記出入口９から収納部３０に押し込み、前記靴紐６の端部を前記収納部３０に収納する。
以上の過程を経て、図８および図１０に示すように、前記靴紐６の端部は前記収納部３０に収納されて、外から見えなくなる。
【００３０】
なお、図５に示す前記靴紐６を必ずしも結んで、前記出入口９に押し込む必要はない。前述したように、図３の小孔５ａ（５）が、例えば、人工皮革などの摩擦の大きい部材に形成されている場合は、前記小孔５ａにおける前記靴紐６の挿通抵抗が大きいので、前記靴紐６の緩みを防止することができる。したがって、図４の靴紐６の端部６１を挿通孔７から収納部３０内に挿入するだけで結ばなくてもよい。
【実施例２】
【００３１】
図１１及び図１２は実施例２を示す。
図１１及び図１２Ａに示すように、舌片４の裏側Ｂには、上方に向かって開口したポケット状の収納部材１０が設けられている。
【００３２】
前記舌表２と舌裏３とは、一体に貼り合わせられて舌片本体４０を形成している。前記舌片本体４０と収納部材１０との間には、収納部３０が形成されている。
図１２A に示すように、前記舌片本体４０に形成した挿通孔７が前記袋状の収納部３０に向って開口し、前記靴紐６の端部６１が前記挿通孔７を介して前記収納部３０に挿入可能である。一方、収納部材１０の上部の開口部分は靴紐６の端部６１が上方に引き出される出入口となる。
【００３３】
なお、挿通孔７を介して靴紐６が前記収納部３０に挿入されることを可能とするため、収納部材１０の幅方向Ｗの長さは左右の挿通孔７，７間の幅方向Ｗの長さよりも長く設定されている。
その他の構成は、実施例１と同様であり、同一部分または相当部分に同一符号を付して、その詳しい説明を省略する。
【００３４】
靴紐６の収納方法：
まず、図１２Ａおよび図１２Ｂに示すように、靴紐６を挿通孔７から挿入し、収納部材１０の前記出入口から上方に引き出した後、該靴紐６の一対の端部６１同士を結んで結び目６０を形成する。その後、図１２Ｃに示すように、一対の端部６１同士や結び目６０を前記出入口から前記収納部３０に入れる。
【実施例３】
【００３５】
図１３は実施例３を示す。
図１３Ａに示すように、舌片４には、舌裏３にも左右一対の挿通孔７及びループ材８が設けられている。その他の構成は、実施例１と同様であり、同一部分または相当部分に同一符号を付して、その詳しい説明を省略する。
【００３６】
靴紐６の収納方法：
まず、図１３A に示すように、舌表２および舌裏３に設けた挿通孔７を介して、靴紐６を収納部３０に挿通して舌片４の裏側に引き出す。ついで、靴紐６の端部６１同士を結んで結び目６０を形成する。その後、靴紐６の端部を出入口９から収納部３０に押し込み、図１３B に示すように、靴紐６の端部を収納部３０に収納する。
なお、実施例３においても、舌表２の挿通孔７に靴紐６の端部６１を挿通し、舌裏３の挿通孔７から端部６１を引き出さずに、出入口９から端部６１を引き出して結び目６０を形成し、前記出入口９から結び目６０を収納部３０に挿入してもよい。
【実施例４】
【００３７】
図１４は実施例４を示す。
図１４Ａに示すように、舌片４の両端部の側面には、挿通孔７が形成されている。前記挿通孔７は、舌表２と舌裏３とが縫い合わされた部位ないし、その近傍に形成されている。
なお、前記挿通孔７としては、舌表２および舌裏３の当該挿通孔７の周囲に篝縫いを施してもよいし樹脂製や金属製のループ部材を設けてもよい。
その他の構成は、実施例１と同様であり、同一部分または相当部分に同一符号を付して、その説明を省略する。
【００３８】
変形例：
前述の各実施例は、踝を覆うハイカットの靴を例示して説明したが、アッパー１の上端部が踝よりも下に位置するローカットの靴や、その中間の高さのミドルカットの靴にも本考案を適用し得る。
なお、靴紐６の出入口は、ポケットティッシュの取り出し口のように、一方の面が他方の面を覆うようにして、靴紐の結び目が収納部から飛び出すのを防ぐようにしてもよい。
また、特にローカットの靴の場合には、出入口を舌片の幅方向に向って横長に生成するのが好ましい。かかる場合には、靴紐の端部が前記横長の出入口から飛び出さないようにフックを設けてもよいし、面ファスナーを備えた別布で前記出入口を閉鎖するようにしてもよい。
【００３９】
さらに、舌片の挿通孔には必ずしもループ材を設ける必要はない。
また、小孔に樹脂製や金属製のループ材を設けてもよい。かかる場合には、前記ループ材には滑り止め加工を施すのが好ましい。
【産業上の利用可能性】
【００４０】
本考案は、靴紐を備えた靴に用いることができる。
【図面の簡単な説明】
【００４１】
【図１】本考案の実施例１にかかる靴紐を通していない状態の靴を示す概略斜視図である。
【図２】同靴を示す概略斜視図である。
【図３】同靴を示す概略斜視図である。
【図４】靴紐の収納方法を示す概略斜視図である。
【図５】靴紐の収納方法を示す概略斜視図である。
【図６】靴紐の収納方法を示す概略斜視図である。
【図７】靴紐の収納方法を示す概略斜視図である。
【図８】靴紐の収納方法を示す概略斜視図である。
【図９】靴の着用状態を示す概略斜視図である。
【図１０】靴紐の収納方法を示す舌片の概略横断面図である。
【図１１】本考案の実施例２にかかる靴の着用時の状態を示す概略斜視図である。
【図１２】靴紐の収納方法を示す舌片の概略縦断面図および横断面図である。
【図１３】本考案の実施例３にかかる、靴紐の収納方法を示す舌片の概略横断面図である。
【図１４】本考案の実施例４にかかる、靴紐の収納方法を示す舌片の概略横断面図である。
【符号の説明】
【００４２】
１：アッパー
２：舌表
３：舌裏
４：舌片
５（５ａ）：小孔
６：靴紐
６０：結び目
６１：端部
７：挿通孔
８：ループ材
９：出入口
１０：収納部材
１１，１１F ：開口
【図１】
0003132794.tif 000003
【図２】
0003132794.tif 000004
【図３】
0003132794.tif 000005
【図４】
0003132794.tif 000006
【図５】
0003132794.tif 000007
【図６】
0003132794.tif 000008
【図７】
0003132794.tif 000009
【図８】
0003132794.tif 000010
【図９】
0003132794.tif 000011
【図１０】
0003132794.tif 000012
【図１１】
0003132794.tif 000013
【図１２】
0003132794.tif 000014
【図１３】
0003132794.tif 000015
【図１４】
0003132794.tif 000016